(57)【要約】【課題】通信システム、送信装置及び受信装置に関し、制御チャネルを効率的に送信し、制御チャネルの無駄な送信電力の消費を削減するとともに、制御チャネルの受信品質の維持向上を図る。【解決手段】送信装置１０において、制御チャネル送信アンテナ数選択制御部１２は、受信装置２０の品質情報測定部２３より転送される伝送品質情報を基に、制御チャネルを送信する送信アンテナ数を選択し、制御チャネル生成部１１は、該選択された送信アンテナ数の無線信号の伝送フレームの制御チャネル領域に、各送信アンテナの無線信号の伝送制御情報を多重化した多重化伝送制御情報を格納した制御チャネルを生成して送信部１３から送信する。制御チャネルを送信するアンテナ数は、１又は最大アンテナ数とするか、或いは、１から最大アンテナ数の間で伝送品質情報に応じた本数を選択する。【選択図】図１
2008017096.tif 000002
【特許請求の範囲】
【請求項１】
複数の送信アンテナを用いて無線信号を送信する送信装置と、複数の受信アンテナを用いて無線信号を受信する受信装置とを有し、各送信アンテナで送信する無線信号の伝送制御情報を全送信アンテナ分多重化した多重化伝送制御情報を、少なくとも１つの送信アンテナの無線信号の伝送フレームの制御チャネル領域に格納して送信する通信システムにおいて、
前記送信装置からの無線信号の伝送品質を測定し、測定した伝送品質に関する情報を前記送信装置に通知する伝送品質情報通知手段を前記受信装置に備え、
前記多重化伝送制御情報を送信する送信アンテナ数を、前記受信装置から通知される伝送品質情報を基に選択する送信アンテナ数選択手段を前記送信装置に備えたことを特徴とする通信システム。
【請求項２】
前記伝送品質情報に対応した送信アンテナ数を格納したアンテナ数選択テーブルを、前記送信装置及び前記受信装置に共通に備え、
前記送信装置及び前記受信装置の双方で、前記伝送品質情報を基に前記アンテナ数選択テーブルを参照し、前記多重化伝送制御情報を送信するアンテナ数を認識し、前記多重化伝送制御情報の送受に使用する送信アンテナ数及び受信アンテナ数をそれぞれ選択することを特徴とする請求項１に記載の通信システム。
【請求項３】
前記受信装置において、前記多重化伝送制御情報の受信誤りの回数が所定の回数以上であることを検出したとき、前記送信装置に伝送品質情報として伝送路異常の旨を通知し、前記多重化伝送制御情報を受信する受信アンテナ数として最大受信アンテナ数を選択し、
前記送信装置において、前記伝送路異常の旨の通知を受けたとき、前記多重化伝送制御情報を送信する送信アンテナ数として最大送信アンテナ数を選択することを特徴とする請求項１又は２に記載の通信システム。
【請求項４】
複数の送信アンテナを用い、各送信アンテナで送信する無線信号の伝送制御情報を全送信アンテナ分多重化した多重化伝送制御情報を、少なくとも１つの送信アンテナの無線信号の伝送フレームの制御チャネル領域に格納して送信する送信装置において、
前記多重化伝送制御情報を送信する送信アンテナ数を、受信装置から通知される伝送品質情報を基に選択する送信アンテナ数選択手段と、
選択した送信アンテナ数を受信装置に通知する送信アンテナ数通知手段と、
を備えたことを特徴とする送信装置。
【請求項５】
複数の受信アンテナを用いて受信される各無線信号の伝送制御情報を全送信アンテナ分多重化した多重化伝送制御情報が、少なくとも１つの無線信号の伝送フレームの制御チャネル領域に格納された無線信号を受信する受信装置において、
受信信号を基に測定した伝送品質情報を送信装置に通知する伝送品質通知手段と、
前記伝送品質情報に対応した受信アンテナ数を格納したアンテナ数選択テーブルと、
前記伝送品質情報を基に前記アンテナ数選択テーブルを参照し、前記無線信号の制御チャネル領域に格納された多重化伝送制御情報の受信に使用する受信アンテナ数を選択する受信アンテナ数選択手段と、
を備えたことを特徴とする受信装置。
【発明の詳細な説明】
【技術分野】
【０００１】
本発明は、ＭＩＭＯ（Multiple-Input Multiple-Output）方式等の、１又は複数のアンテナによる送信／受信を行う出力通信システム、その送信装置及び受信装置に関し、特に、制御チャネルを効率的に送信するための通信システム、送信装置及び受信装置に関する。
【背景技術】
【０００２】
近年、周波数帯域を有効利用して大容量（高速）のデータ通信を可能とする技術としてＭＩＭＯ方式が注目されている。ＭＩＭＯ方式は、送受信双方に複数アンテナを用いて、即ち、複数アンテナを有する送信装置及び複数アンテナを有する受信装置を用いて、送信装置の複数アンテナから独立したデータストリームを送信し、受信装置の各受信アンテナで受信される信号から、伝播路上で混ざり合った複数の送信信号（データストリーム）を、伝播路（チャネル）推定値を用いて個々に分離することで、周波数帯域の拡大を必要とすることなく伝送レートを向上させる技術である。また、ＭＩＭＯ方式とは別に、受信装置のみ複数のアンテナを有するＭＩＳＯ（Multiple-Input Single-Output）、送信装置のみ複数のアンテナを有するＳＩＭＯ（Single-Input Multiple -Output）方式も提案されている。
【０００３】
移動通信システムは、マルチメディア通信やインターネットへの対応が必要となり、様々な伝送品質や伝送レートで効率良く無線信号を伝送することが要求されている。無線信号の伝送制御情報を送信する制御チャネルは、複数アンテナ送信の伝送制御のために複数のブロックに分かれ、各ブロックに各アンテナ対応の制御チャネルが格納される。
【０００４】
以下は送信アンテナ数が４、受信アンテナ数が４（４ｘ４アンテナ）の場合の従来のＭＩＭＯ方式移動通信システムにおける時間多重制御チャネルの送信方式について説明する。なお、制御チャネルの多重送信として、時間多重方式以外にも拡散コードによるコード多重方式などでも本発明は適用可能である。
【０００５】
４多重の制御チャネルを送信する手法として、それらを１つの送信アンテナからのみ送信する１Ｔｘ制御チャネル送信方式と、複数の送信アンテナから送信するマルチアンテナ制御チャネル送信方式とがある。
【０００６】
（１）１Ｔｘ制御チャネル送信方式について
ＭＩＭＯ方式移動通信システムにおいて、１Ｔｘ制御チャネル送信方式は、各アンテナの制御チャネルに格納される伝送制御情報を多重化して１つの送信アンテナからのみ送信し、該１つの送信アンテナから送信した多重化伝送制御情報で、各アンテナで送受する無線信号の伝送制御を行う方式であり、該伝送制御情報を時間多重で送信する場合の伝送フレームのフォーマット例を図４に示す。
【０００７】
同図に示す例では、第１の送信アンテナ（＃１）の伝送フレームの制御チャネル領域に、第１〜第４のアンテナ（＃１〜＃４）の制御チャネルのブロックを時分割多重して格納し、第２〜第４の送信アンテナ（＃２〜＃４）の伝送フレームの制御チャネル領域はブランクとし、何も送信しない。なお、各伝送フレームのデータチャネル領域に格納される通信データは各アンテナ対応にそれぞれ異なるものである。
【０００８】
（２）マルチアンテナ制御チャネル送信方式について
ＭＩＭＯ方式移動通信システムにおいて、マルチアンテナ制御チャネル送信方式は、各アンテナの制御チャネルに格納される伝送制御情報を多重化した多重化伝送制御情報を、複数の送信アンテナの制御チャネル領域に格納して同時に送信し、該多重化伝送制御情報で各アンテナの伝送制御を行う方式で、時間多重で送信する場合の無線フレームのフォーマット例を図５に示す。
【０００９】
同図に示す例では、第１〜第４のそれぞれの送信アンテナ（＃１〜＃４）の伝送フレームの制御チャネル領域に、第１〜第４のアンテナ（＃１〜＃４）の各制御チャネルのブロックを時分割多重して格納し、第１〜第４の各アンテナ（＃１〜＃４）の全ての制御チャネルを、第１〜第４の各送信アンテナ（＃１〜＃４）の伝送フレームの制御チャネル領域で同時に並列に送信する。なお、各伝送フレームのデータチャネルに格納される通信データは各アンテナ対応にそれぞれ異なるものである。
【００１０】
下記の特許文献１には、ＳＤＭ（Space Division Multiplexing）を利用した無線データ伝送システムの送信装置において、２以上のアンテナを備え、１系列以上のデータを同一の周波数チャンネルを用いて空間分割多重して無線送信する送信装置であって、２以上のアンテナのうち送信に用いるアンテナ数と送信するデータの系列数とを含む空間分割多重制御データを生成し、該空間分割多重制御データを少なくとも１系列のデータに含めて送信する手段を備えた送信装置について記載されている。
【特許文献１】特開２００４−２９７１７２号公報
【発明の開示】
【発明が解決しようとする課題】
【００１１】
上述の１Ｔｘ制御チャネル送信方式では、各アンテナ対応の制御チャネルの伝送制御情報を１つのアンテナの制御チャネル領域で送信するため、他のアンテナからの干渉や伝搬路状況の悪化により、１つのアンテナの制御チャネル領域で送信した伝送制御情報が、データチャネルの通信データより受信率が悪くなってしまう場合がある。
【００１２】
そのため、データチャネルの通信データは受信可能であるにも拘わらず、制御チャネルの伝送制御情報の受信結果が不確かであるため、データチャネルの通信データを復調することができなくなってしまう。制御チャネルの受信率を高くするために送信電力を上げようとしても、１アンテナ毎の送信電力には限りがあるため、制御チャネルの電力を大きくすることはできない。
【００１３】
また、前述のマルチアンテナ制御チャネル送信方式では、全送信アンテナの制御チャネル領域に各アンテナの制御チャネルの伝送制御情報の全てを格納して送信するため、伝搬路状態が悪いときには、受信装置において各受信アンテナで受信される制御チャネル領域の受信信号を合成することによって、１Ｔｘ制御チャネル送信方式より受信率が向上する。しかし、伝搬路状態が良好なときには、全送信アンテナの制御チャネル領域で、重複して伝送制御情報の信号を送信するため、送信電力を無駄に消費してしまう。
【００１４】
即ち、従来のマルチアンテナ制御チャネル送信方式は、固定の送信アンテナ数で、伝搬路状態と関係なく、制御チャネル領域に伝送制御情報を格納して送信しているため、伝搬路状況が良好なときには、無駄な電力で制御チャネルの伝送制御情報を送信していることになり、また、他ユーザーへの干渉も増大させてしまう。
【００１５】
また、１Ｔｘアンテナ送信方式では、データを送信する変調方式によっては、データチャネルよりも制御チャネルのほうがノイズに弱くなってしまい、データチャネルは正常受信できるにも拘わらず、制御チャネルが正常に受信できないため、データチャネルの通信データを復調することができないことがある。本発明は、制御チャネルを効率的に送信し、制御チャネルの無駄な送信電力の消費の削減を図るとともに、制御チャネルの受信品質の維持向上を図ることを目的とする。
【課題を解決するための手段】
【００１６】
本発明による無線通信システムは、各送信アンテナで送信する無線信号の伝送制御情報を全送信アンテナ分多重化した多重化伝送制御情報を、少なくとも１つの送信アンテナの無線信号の伝送フレームの制御チャネル領域に格納して送信する手段を前記送信装置に備え、前記送信装置からの無線信号の伝送品質情報を測定し、該伝送品質情報を前記送信装置に通知する手段を前記受信装置に備え、前記多重化伝送制御情報を送信する送信アンテナ数を、前記受信装置から通知される伝送品質情報を基に選択する手段を前記送信装置に備えたことを特徴とする。
【００１７】
また、前記伝送品質情報に対応した送信アンテナ数を格納したアンテナ数選択テーブルを、前記送信装置及び前記受信装置に共通に備え、前記送信装置及び前記受信装置の双方で、前記伝送品質情報を基に前記アンテナ数選択テーブルを参照し、前記多重化伝送制御情報を送信するアンテナ数を認識し、前記多重化伝送制御情報の送受に使用する送信アンテナ数及び受信アンテナ数をそれぞれ選択することを特徴とする。
【００１８】
また、前記受信装置において、前記多重化伝送制御情報の受信誤りの回数が所定の回数以上であることを検出したとき、前記送信装置に伝送品質情報として伝送路異常の旨を通知し、前記多重化伝送制御情報を受信する受信アンテナ数として最大受信アンテナ数を選択する手段と、前記送信装置において、前記伝送路異常の旨の通知を受けたとき、前記多重化伝送制御情報を送信する送信アンテナ数として最大送信アンテナ数を選択する手段と、を備えたことを特徴とする。
【００１９】
また、本発明による無線の送信装置は、各送信アンテナで送信する無線信号の伝送制御情報を全送信アンテナ分多重化した多重化伝送制御情報を、少なくとも１つの送信アンテナの無線信号の伝送フレームの制御チャネル領域に格納して送信する手段と、前記多重化伝送制御情報を送信する送信アンテナ数を、受信装置から通知される伝送品質情報を基に選択する送信アンテナ数選択手段と、選択した送信アンテナ数を受信装置に通知する送信アンテナ数通知手段とを備えたことを特徴とする。
【００２０】
また、本発明による無線の受信装置は、受信信号を基に測定した伝送品質情報を送信装置に通知する伝送品質通知手段と、伝送品質情報に対応した送信アンテナ数を格納したアンテナ数選択テーブルと、前記伝送品質情報を基に前記アンテナ数選択テーブルを参照し、前記無線信号の制御チャネル領域に格納された多重化伝送制御情報の受信に使用する受信アンテナ数を選択する受信アンテナ数選択手段と、を備えたことを特徴とする。
【発明の効果】
【００２１】
本発明によれば、多重化伝送制御情報を制御チャネル領域に格納して送信するアンテナ数を、伝搬路状況に応じて選択するよう可変にしたため、伝搬路状況が良好であれば、複数の送信アンテナの制御チャネル領域の無線信号送信による無駄な送信電力の消費を削減することができ、また、伝搬路状況が悪い場合には、多重化伝送制御情報を格納した制御チャネルを送信する送信アンテナ数を増やすことにより、合成受信による伝送制御情報の受信率を向上させ、マルチアンテナ制御チャネル送信方式と同程度の回線品質を保つことができる。
【発明を実施するための最良の形態】
【００２２】
図１は本発明による通信システムの送信装置及び受信装置の機能ブロックを示す。また、図２は本発明による送信装置の動作フローの一実施例を示し、図３は本発明による受信装置の動作フローの一実施例を示す。以下、図１乃至図３を参照して本発明の実施形態について説明する。
【００２３】
送信装置１０において、制御チャネル送信アンテナ数選択制御部１２は、受信装置２０の品質情報測定部２３より転送される伝送品質情報を基に、現在の伝搬路状況を判断し、該伝搬路状況に応じて制御チャネルを送信する送信アンテナ数を選択し、該送信アンテナ数を制御チャネル生成部１１に通知する。
【００２４】
制御チャネル生成部１１は、制御チャネル送信アンテナ数選択制御部１２から通知された送信アンテナ数の無線信号の伝送フレームの制御チャネル領域に、各送信アンテナの無線信号の伝送制御情報を多重化した多重化伝送制御情報を格納した制御チャネルを生成する。送信部１３は、制御チャネル生成部１１により生成される送信アンテナ毎の制御チャネルと送信アンテナ毎のデータチャンネルとを含む伝送フレームを編成して、図示省略の複数の送信アンテナにより送信する。
【００２５】
また、受信装置２０において、受信部２１で図示省略の複数の受信アンテナから受信した受信信号から、制御チャネル受信アンテナ選択制御部２４の制御により、制御チャネル復調部２２にて制御チャネルを復調し、該復調により得られる制御チャネル送信アンテナ数の情報を、制御チャネル受信アンテナ選択制御部２４に渡し、制御チャネル受信アンテナ選択制御部２４では、該制御チャネル送信アンテナ数の情報を基に、制御チャネル送信アンテナ数の変更の有無を判断する。
【００２６】
但し、回線接続の開始時には、伝送品質情報に基づいた制御チャネルの送信アンテナを選択することができないので、マルチアンテナ制御チャネル送信方式で制御チャネルを送信し、その後、受信装置２０にて測定する伝送品質情報を基に、送信装置１０で伝搬環境を判断し、１Ｔｘ制御チャネル送信方式又はマルチアンテナ制御チャネル送信方式の何れかで送信するかを選択する。
【００２７】
１Ｔｘ制御チャネル送信方式又はマルチアンテナ制御チャネル送信方式の何れか一方から他方に変更する場合は、制御チャネル内に伝送制御情報として格納した制御チャネル送信選択ビットを変更して受信装置２０に変更することを通知する。受信装置２０では、制御チャネル送信アンテナ数が変更されることを認識すると、該変更の通知の正常受信情報（ＡＣＫ）を通知する。送信装置１０では、受信装置２０で制御チャネル送信アンテナ数の変更が認識されたことを確認した後、制御チャネル送信アンテナ数を変更する。
【００２８】
上述の制御チャネル送信アンテナ数の変更は、１アンテナ又は最大数アンテナの何れかを選択する実施形態であるが、伝搬環境においては、１から最大アンテナ数までのうちの何れかアンテナ数Ｎでの送信が適している場合がある。このような場合、制御チャネル送信アンテナ数Ｎを１から最大アンテナ数までの間で可変とする実施形態とすることができる。但し、この場合、制御チャネルに格納する伝送制御情報としての制御チャネル送信選択ビットとしては、１から最大アンテナ数までの任意の数を指定することができるビット数が必要になる。
【００２９】
また、制御チャネル送信アンテナ数を変更する場合に、送信装置１０と受信装置２０とに、伝送品質情報に基づく共通のアンテナ数選択テーブルを備え、伝送品質情報を基に送信装置１０と受信装置２０とにおいて直ちに制御チャネル送信アンテナ数を切り替える構成とすることができる。
【００３０】
この場合は、制御チャネルに制御チャネル送信選択ビットを格納して受信装置２０に通知する必要がない。但し、受信装置２０から送信装置１０に正常に伝送品質情報が伝わっていることの判定が必要になる。そのため、受信装置２０にて伝送品質情報の通知に対する送信装置１０からの肯定応答（ＡＣＫ）を受信したことを確認してから、制御チャネル送信アンテナ数を切り替えるように構成する。
【００３１】
また、最適な制御チャネル送信アンテナ数を選択する際に、急激な伝搬路変化によって、制御チャネルが正常に受信されない場合があり、そのような場合に対処するために、受信装置２０において、制御チャネルの受信信号（伝送制御情報）の受信誤り回数を計数し、受信誤り回数が所定の回数に達したことを検出したとき、送信装置１０に通知する伝送品質情報の格納領域に伝送路異常ビットを格納して伝送路異常を通知し、送信装置１０及び受信装置２０の双方で、最大アンテナ数で制御チャネルを送受するよう選択する。
【００３２】
また、制御チャネル送信アンテナ数を１から最大アンテナ数までの間で可変とする実施形態において、回線接続の開始時は、受信装置２０で測定した伝送品質情報に基づく制御チャネル送信アンテナ数を選択することができないので、予め定めた所定のアンテナ数Ｋで制御チャネルを送信する構成とする。
【００３３】
図２の本発明による送信装置の動作フローの一例について説明する。送信装置は、回線接続が開始されると（２−１）、まず、マルチアンテナ制御チャネル送信方式により、制御チャネルを送信する（２−２）。そして、受信側から通知される伝送品質情報により、伝送路が正常か異常かを判定し（２−３）、異常であると判定された場合は、最大アンテナ数で制御チャネルを送信し（２−４）、上記のフロー２−３に戻る。
【００３４】
上記フロー２−３の判定で、正常であると判定された場合は、制御チャネル送信アンテナ数の変更タイミング指示の確認待ち状態か否かを判定し（２−５）、該確認待ち状態でないと判定された場合は、伝送品質情報を基に制御チャネル送信アンテナ数を変更するか現状の本数を保持するかを判定し（２−６）、保持すると判定された場合は、制御チャネル送信アンテナ数を現状のまま保持して（２−７）、上述のフロー２−３に戻る。
【００３５】
上記フロー２−６の判定で、制御チャネル送信アンテナ数を変更すると判定された場合は、伝送品質情報に対応した制御チャネル送信アンテナ数に変更する変更タイミングを指示する通知を受信装置に対して送信し（２−９）、上述のフロー２−３に戻る。
【００３６】
また、上記フロー２−５の判定で、制御チャネル送信アンテナ数の変更タイミング指示の確認待ち状態であると判定された場合は、受信装置から該変更タイミング指示の受信確認が正常に受信されたか否かを判定し（２−８）、正常に受信されていないと判定された場合は、上述のフロー２−９の処理を実施し、上述のフロー２−３に戻る。また、上記フロー２−８の判定で正常に受信されたと判定された場合は、伝送品質情報に対応した制御チャネル送信アンテナ数に変更し（２−１０）、上述のフロー２−３に戻る。
【００３７】
図３の本発明による受信装置の動作フローの一例について説明する。受信装置は、回線接続が開始されると（３−１）、まず、マルチアンテナ制御チャネル送信方式により、制御チャネルを受信する（２−２）。そして、送信装置から送信される制御チャネルの受信情報が誤り無く正常に受信されたか否かを判定する（３−３）。
【００３８】
制御チャネルの受信情報が正常に受信されたかった場合、正常受信されなかった回数が所定の回数Ｍに到達したか否かを判定する（３−４）。正常受信されなかった回数が所定の回数Ｍに到達していない場合、伝送品質情報を作成し（３−５）、受信信号の制御チャネルの巡回冗長検査符号（ＣＲＣ：Cyclic Redundancy Check）のチェック結果不良の旨を送信装置に通知し（３−６）、制御チャネル受信アンテナ数を現状のまま保持して（３−１１）、上述のフロー３−３に戻る。
【００３９】
上述のフロー３−４の判定で、正常受信されなかった回数が所定の回数Ｍに到達したと判定された場合、伝送品質情報として伝送路異常の旨を送信装置に通知し（３−７）、規定フレーム数の経過後、最大アンテナ数でマルチアンテナ制御チャネル送信方式による制御チャネルを受信するようにし（３−９）、上述のフロー３−３に戻る。
【００４０】
また、上述のフロー３−３の判定において、制御チャネルの受信情報が正常に受信されたと判定された場合、受信情報を基に伝送路異常かどうかを判定し（３−８）、伝送路異常である場合、最大アンテナ数でマルチアンテナ制御チャネル送信方式による制御チャネルを受信するようにし（３−９）、上述のフロー３−３に戻る。
【００４１】
上述のフロー３−８の判定において、伝送路正常と判定された場合、送信装置から制御チャネル送信アンテナ数の変更タイミング指示が有るか否かを判定し（３−１０）、該変更タイミング指示が無い場合、制御チャネル受信アンテナ数を現状のまま保持して（３−１１）、上述のフロー３−３に戻る。
【００４２】
上述のフロー３−１０の判定において、制御チャネル送信アンテナ数の変更タイミング指示が有ると判定された場合、送信装置に対して該変更タイミングの了承の通知を送信し（３−１２）、該変更タイミングの指示に応じた規定フレーム数の経過後、所定の受信アンテナ数で制御チャネルを受信するようにし（３−１３）、上述のフロー３−３に戻る。
【００４３】
（付記１）複数の送信アンテナを用いて無線信号を送信する送信装置と、複数の受信アンテナを用いて無線信号を受信する受信装置とを有し、各送信アンテナで送信する無線信号の伝送制御情報を全送信アンテナ分多重化した多重化伝送制御情報を、少なくとも１つの送信アンテナの無線信号の伝送フレームの制御チャネル領域に格納して送信する通信システムにおいて、前記送信装置からの無線信号の伝送品質情報を測定し、該伝送品質情報を前記送信装置に通知する伝送品質通知手段を前記受信装置に備え、前記多重化伝送制御情報を送信する送信アンテナ数を、前記受信装置から通知される伝送品質情報を基に選択する送信アンテナ数選択手段を前記送信装置に備えたことを特徴とする通信システム。
（付記２）前記伝送品質情報に対応した送信アンテナ数を格納したアンテナ数選択テーブルを、前記送信装置及び前記受信装置に共通に備え、前記送信装置及び前記受信装置の双方で、前記伝送品質情報を基に前記アンテナ数選択テーブルを参照し、前記多重化伝送制御情報を送信するアンテナ数を認識し、前記多重化伝送制御情報の送受に使用する送信アンテナ数及び受信アンテナ数をそれぞれ選択することを特徴とする付記１に記載の通信システム。
（付記３）前記受信装置において、前記多重化伝送制御情報の受信誤りの回数が所定の回数以上であることを検出したとき、前記送信装置に伝送品質情報として伝送路異常の旨を通知し、前記多重化伝送制御情報を受信する受信アンテナ数として最大受信アンテナ数を選択し、前記送信装置において、前記伝送路異常の旨の通知を受けたとき、前記多重化伝送制御情報を送信する送信アンテナ数として最大送信アンテナ数を選択することを特徴とする付記１又は２に記載の通信システム。
(付記４）複数の送信アンテナを用い、各送信アンテナで送信する無線信号の伝送制御情報を全送信アンテナ分多重化した多重化伝送制御情報を、少なくとも１つの送信アンテナの無線信号の伝送フレームの制御チャネル領域に格納して送信する送信装置において、前記多重化伝送制御情報を送信する送信アンテナ数を、受信装置から通知される伝送品質情報を基に選択する送信アンテナ数選択手段と、選択した送信アンテナ数を受信装置に通知する送信アンテナ数通知手段と、を備えたことを特徴とする送信装置。
（付記５）複数の受信アンテナを用いて受信される各無線信号の伝送制御情報を全送信アンテナ分多重化した多重化伝送制御情報が、少なくとも１つの無線信号の伝送フレームの制御チャネル領域に格納された無線信号を受信する受信装置において、受信信号を基に測定した伝送品質情報を送信装置に通知する伝送品質通知手段と、前記伝送品質情報に対応した受信アンテナ数を格納したアンテナ数選択テーブルと、前記伝送品質情報を基に前記アンテナ数選択テーブルを参照し、前記無線信号の制御チャネル領域に格納された多重化伝送制御情報の受信に使用する受信アンテナ数を選択する受信アンテナ数選択手段と、を備えたことを特徴とする受信装置。
（付記６）
前記送信アンテナ数選択手段は、１又は最大アンテナ数の何れかのアンテナ数を選択することを特徴とする付記１記載の通信システム。
（付記７）
前記送信アンテナ数選択手段は、１から最大アンテナ数までの何れかのアンテナ数を選択することを特徴とする付記１記載の通信システム。
（付記８）
前記送信アンテナ数選択手段は、１又は最大アンテナ数の何れかのアンテナ数を選択することを特徴とする付記４記載の送信装置。
（付記９）
前記送信アンテナ数選択手段は、１から最大アンテナ数までの何れかのアンテナ数を選択することを特徴とする付記４記載の送信装置。
【図面の簡単な説明】
【００４４】
【図１】本発明による送信装置及び受信装置の機能ブロックを示す図である。
【図２】本発明による送信装置の動作フローの一実施例を示す図である。
【図３】本発明による受信装置の動作フローの一実施例を示す図である。
【図４】１Ｔｘ制御チャネル送信方式の伝送フレームのフォーマット例を示す図である。
【図５】マルチアンテナ制御チャネル送信方式の伝送フレームのフォーマット例を示す図である。
【符号の説明】
【００４５】
１０  送信装置
１１  制御チャネル生成部
１２  制御チャネル送信アンテナ数選択制御部
１３  送信部
２０  受信装置
２１  受信部
２２  制御チャネル復調部
２３  品質情報測定部
２４  制御チャネル受信アンテナ選択制御部
【図１】
2008017096.tif 000003
【図２】
2008017096.tif 000004
【図３】
2008017096.tif 000005
【図４】
2008017096.tif 000006
【図５】
2008017096.tif 000007